(57)【要約】      （修正有）【課題】テコの連結により一層強力な駆動力を得ることのできる装置の提供。【解決手段】１段目のテコ１のペダル１５に矢印方向の力を加え、力がテコ３、４と伝わり、２段目のテコ６，８を伝わってテコ棒９の先端１０で連結しているプーリ１２の回転棒１１を作動させプーリ１２を回し、ベルト１３によりプーリ１４を回転させる。【選択図】図３
2007216940.tif 000002
【特許請求の範囲】
【請求項１】
テコの原理を応用し力を増強する装置であってテコの棒の一端に加えた力より強くなった力を駆動力とすることを特徴とする装置
【請求項２】
請求項１に記載した装置を復数連結することにより一層強力な駆動力を得ることのできる装置
【請求項３】
請求項１又は請求項２に記載した装置を組み込んだことを特徴とする自転車
【発明の詳細な説明】
【技術分野】
【０００１】  本発明はテコの原理を応用して力の増強を得る装置であり増強された力を駆動力にする装置に関する
【背景技術】
【０００２】  テコの原理を応用した装置は多数あるが単なるテコの応用にすぎず力の増強もそれほど大きくない【０００３】  本発明の関連する公知技術として次の特許文献を挙けることができる【０００４】
【特許文献１】特開２００４−２２４３１８  特開２００３−３２７１９０
【発明の開示】
【発明が解決しようとする課題】
【０００５】  テコの応用による装置は多数あっても大きな力にはならないテコの連結により一層の強力な駆動力を得ることのできる装置の開発
【課題を解決するための手段】
【０００６】  テコの応用により力を増強する装置でその装置を連結することで一層の強力な駆動力として組込んだ自転車を提供する
【発明の効果】
【０００７】テコを応用した自転車は色々公知されてゐるが力の増強はあまり大きくない本発明の自転車は連結したテコの応用装置で少ない力を大きくし走行は楽であり特に坂道の走行は快適である
〔発明の実施の形態〕【０００８】以下本発明の実施の形態を図面をもつて詳細に説明する【０００９】  図１の説明は図１の１のテコ棒の一端に矢印の方向に力を加えると２が固定されているのでテコの原理で３に移りなお４の先端が矢印の方向に移動強力な力が５で生じる【００１０】図２は図１の原理を装置としそれを復数連結したもので５が６のテコ棒を矢印の方向に力を加え９が１０を動かし１１より一層強力な力が生じる【００１１】図３図４は一対の装置になるようになつていて１のテコ棒に矢印の方向に力を加えると３より４に力が移り５が６のテコ棒に力を加え８が９を動かし１０が駆動力となり１１が１２のプーリーを回転１３のベルトにより１４のプーリーを回転させる  １４のプーリーは自転車の歯車に直結しているのでその歯車がチエンを通じて後輪を回転させ自転車は前進する
図４は図３と交互に同じ動きができるようになっているのでスムーズに動き１２  １４のプーリーはなく１１は図３のプーリーを回転させるようになっている
図３図４は図７に示したとおりとなる自転車のペタルは取りはずしテコ棒１５を上下に踏むことにより前進する【００１２】図５図６は図７に示したとおり合体させ図８に示す自転車に装着する装置である自転車のペタルを踏むことによりテコ棒１に力が加わるようになつていて前進する【００１３】図７は図３図４及び図５図６を合体した形態である【００１４】図８は図５図６を合体した装置を自転車に装着した形態である【００１５】図９は図３図４を合体した装置を自転車に装着した形態である【００１６】図１０は図８と同じ装置を横に向けて装着した形態である【００１７】図１１は自転車に装着した装置のカバーである
【符号の説明】
【００１８】１、２、３、４    一段目のテコ
６、７、８、１０  二段目のテコ
１１              プーリーを回転させる棒
１２、１４        プーリー
１５              ペタル
【図１】
2007216940.tif 000003
【図２】
2007216940.tif 000004
【図３】
2007216940.tif 000005
【図４】
2007216940.tif 000006
【図５】
2007216940.tif 000007
【図６】
2007216940.tif 000008
【図７】
2007216940.tif 000009
【図８】
2007216940.tif 000010
【図９】
2007216940.tif 000011
【図１０】
2007216940.tif 000012
【図１１】
2007216940.tif 000013
【手続補正書】
【提出日】平成18年5月10日(2006.5.10)
【手続補正１】
【補正対象書類名】明細書
【補正対象項目名】全文
【補正方法】変更
【補正の内容】
【発明の詳細な説明】
【技術分野】
【０００１】  本発明はテコの原理を応用して力の増強を得る装置であり増強された力を駆動力にする装置に関する
【背景技術】
【０００２】  テコの原理を応用した装置は多数あるが単なるテコの応用にすぎず力の増強もそれほど大きくない【０００３】  本発明の関連する公知技術として次の特許文献を挙げることができる【０００４】
【特許文献１】特開２００４−２２４３１８  特開２００３−３２７１９０
【発明の開示】
【発明が解決しようとする課題】
【０００５】  テコの応用による装置は多数あつても大きな力にはならないテコの連結により一層の強力な駆動力を得ることができる装置の開発
【課題を解決するための手段】
【０００６】  テコの応用により力を増強する装置でその装置を連結することで一層の強力な駆動力として組込んだ自転車を提供する
【発明の効果】
【０００７】  テコを応用した自転車は色々公知されているが力の増強はあまり大きくない本発明の自転車は連結したテコの応用装置で少ない力を大きくし走行は楽であり特に坂道の走行は快適である
【発明を実施するための最良の形態】
【０００８】  以下本発明の実施の形態を図面をもつて詳細に説明する【０００９】〔図１〕の説明は図１の１のテコ棒に矢印の方向に力を加えるとテコの２が固定されているのでテコの原理で３に力が移りその力で４に棒を押すことで先端が矢印の方向に移動し５で強力な力が生じる
〔図２〕は図１の原理を装置としてそれを複数連結したもので図１の５の力が図２の６のテコ棒を矢印の方向に力を加えると７が固定されていて８の棒が１０の棒を押すことで１０の先端１１から一層強力な力が生ずる
〔図３〕は〔図４〕と合体することで効力を出すことになり図２の装置を自転車に装置することを目的に開発したものである
図３は自転車の左側に装着するものである
図３の説明は１のテコ棒に矢印の方向に力を加えると図２の装置の様に８が９の棒に力を加えるが図３では自転車に装着するため９の棒が逆に向いているが１１の棒で１２のプーリーを回転させ１３のベルトにより１４のプーリーを回転させる  １４のプーリーは自転車の既存の歯車に直結しているのでその歯車がチエンを通じて後輪を回転させ自転車は前進する
〔図４〕は自転車の右側に装着し図３と交互に同じ動きが出来るようになつているのでスムーヅに動き．１２．１４のプーリーはなく１１は図３のプーリーを回転させるようになつている
〔図３〕〔図４〕は〔図７〕に示したとをり合体させ〔図９〕のように装着しペタルはなくテコ棒１５を上下に踏むことにより自転車は前進する
〔図５〕は自転車の左側に装着する装置であり
〔図６〕は右側に装着する装置である
図５と図６を〔図７〕に示したとおり合体させ〔図８〕に示す自転車に装着する装置である  自転車のペタルを踏むことによりテコ棒１に力が加わるようになつていて自転車は前進する
〔図７〕は〔図３〕と〔図４〕の合体した形態の立体図と〔図５〕と〔図６〕の合体した形態の立体図である
〔図８〕は〔図５〕と〔図６〕の合体した装置を自転車に装着した形態である
〔図９〕は〔図３〕と〔図４〕を合体した装置を自転車に装着した形態である
〔図１０〕は〔図８〕と同じ装置を横に向けて装着した形態である
〔図１１〕は自転車に装着した装置のカバーである
【図面の簡単な説明】
【００１０】
【図１】平面図テコの応用による力の増強装置
【図２】平面図一層力を増強するため図１の装置を連結した装置
【図３】平面図自転車に装着するように図２装置  でプーリー１２を回転させベルト１３で１４のプーリーを回転させる装置
【図４】は図３を合体させ自転車に装着するもので自転車の右側になり図３の１５のテコ棒図４の１２のテコ棒を踏むようになつている図面である
【図５】は図３と同じ装置で１５のペタルを踏むと作動し自転車の左側に装着する装置の図面である
【図６】は図５と合体し右側に装着しペタルを踏むと図５と交互に作動する装置の図面である
【図７】は図５と図６を合態させた形態で上から見た状態でペタルを踏むと作動する装置の図面である
【図８】は図５と図６の合体した装置を自転車に装着した図でペタルを踏むと作動し自転車は前進する
【図９】は図３と同４の装置を合体させた装置を自転車に装着した図面である
【図１０】は図５と図６を合体した装置を装着した図面である
【図１１】は図８と図９と図１０のそれぞれの自転車に装着した装置のカバーである
【符号の説明】
【００１１】〔図１〕の１、３、４、テコの棒
〔図２〕の１、３、４、一段目のテコ棒  ６、８、１０、二段面のテコ棒
〔図３〕の１、３、４、６、８、９はテコ棒、１２、１４、プーリー、１３ベルト  １５、ペタル  １１、は１２のプーリーを回転させる棒
〔図４〕の１、３、４、６、８、９、テコ棒、１２ペタル
〔図５〕の１、３、４、６、８、９、テコ棒  １１、はプーリー１２を回転させる棒  １２、１４はプーリー  １３はベルト  １５、ペタル
〔図６〕の１、３、４、６、８、９、はテコ棒  １１は図５のプーリを回転する棒
〔図７〕の１はテコ棒  １２、１４、プーリー  １３、ベルト、１５、ペタル
〔図８〕は自転車に図５図６を合体した装置を装着した形態
〔図９〕は自転車に図３図４を合体した装置を装着した形態
〔図１０〕は図５図６を合体し自転車に装置を装着した形態
〔図１１〕は図８、図９、図１０に装着した装置のカバーである
【手続補正書】
【提出日】平成18年6月5日(2006.6.5)
【手続補正１】
【補正対象書類名】特許請求の範囲
【補正対象項目名】請求項２
【補正方法】変更
【補正の内容】
【請求項２】
請求項１に記載した装置を複数連結することにより一層強力な駆動力を得ることのできる装置